(57)【要約】      （修正有）【課題】アセット状態モニタリングシステムなどの産業モニタリングシステムの１つまたは複数の動作パラメータを了解性の高い形態で表示する。【解決手段】産業モニタは、受信された入力に少なくとも部分的に基づいて機械システムの動作に対応する複数の測定値を確定するように構成される。システムは、産業モニタに通信可能に結合されたディスプレイデバイスを含み、ディスプレイデバイスは、複数のスクリーンを有するユーザインタフェースを提示するように構成され、複数の測定値のそれぞれは、複数のスクリーンの少なくとも１つのスクリーンに関連付けられる。さらに、複数のスクリーンの各スクリーンは、異なるスクリーンに関連付けられた測定値が不規則状態を有するとき、１つの外観を有するナビゲーションインジケータを選択的に提示するように構成される。【選択図】図１
2015053036.tif 000002
【特許請求の範囲】
【請求項１】
機械システムに結合された複数のセンサからの入力を受信するように構成される産業モニタであって、前記産業モニタは、前記受信された入力に少なくとも部分的に基づいて前記機械システムの動作に対応する複数の測定値を確定するように構成され産業モニタと、
前記産業モニタに通信可能に結合されたディスプレイデバイスであって、前記ディスプレイデバイスは、複数のスクリーンを備えるユーザインタフェースを提示するように構成され、前記複数の測定値のそれぞれは、前記複数のスクリーンの少なくとも１つのスクリーンに関連付けられ、前記複数のスクリーンのそれぞれのスクリーンは、異なるスクリーンに関連付けられた測定値が不規則状態を有するとき、１つの外観を有するナビゲーションインジケータを選択的に提示するように構成されるディスプレイデバイスと
を備える、システム。
【請求項２】
前記ナビゲーションインジケータの前記外観は、前記測定値の前記不規則状態の変化する深刻度を伝達するために徐々に変化するように構成される請求項１記載のシステム。
【請求項３】
前記ナビゲーションインジケータの前記外観は、前記ユーザインタフェースの他のスクリーンに関連付けられたさらなる測定値についてさらなる不規則状態が検出されるにつれて、徐々に変化するように構成される請求項１記載のシステム。
【請求項４】
前記ナビゲーションインジケータの前記外観は、前記不規則状態を有する測定値に関連付けられた前記異なるスクリーンを、前記ユーザインタフェースに提示させることが可能なユーザ入力に関連付けられる請求項１記載のシステム。
【請求項５】
前記複数のスクリーンの各スクリーンは、第２の異なるスクリーンに関連付けられた第２の測定値が第２の不規則状態を有するときに、第２の外観を有する第２のナビゲーションインジケータを選択的に提示するように構成され、前記第２のナビゲーションインジケータの前記第２の外観は、前記第２の不規則状態を有する前記第２の測定値に関連付けられた前記第２の異なるスクリーンを、前記ユーザインタフェースに提示させることが可能な第２のユーザ入力に関連付けられた請求項４記載のシステム。
【請求項６】
前記第２のナビゲーションインジケータの前記第２の外観は、前記第２の測定値の前記第２の不規則状態の変化する深刻度を伝達するために徐々に変化するように構成される請求項５記載のシステム。
【請求項７】
前記ナビゲーションインジケータの前記外観は、フィルカラーまたはボーダカラー、アニメーション強調、ボーダ強調、記号強調、サイズ強調、またはその組合せを含む請求項１記載のシステム。
【請求項８】
前記不規則状態は、目下アラーム発生状態、ラッチ済みアラーム状態、バイパス状態、またはその組合せを含む請求項１記載のシステム。
【請求項９】
前記ディスプレイデバイスは、産業モニタ、可搬型モニタリングデバイス、モバイルコンピューティングデバイス、またはその組合せの上に配設される請求項１記載のシステム。
【請求項１０】
前記機械システムは、ガスタービンシステム、蒸気タービンシステム、油圧タービンシステム、風力タービン、または産業自動化システムを備える請求項１記載のシステム。
【請求項１１】
方法であって、
機械デバイスに結合された複数のセンサからの入力を受信すること、
前記受信された入力に基づいて前記機械デバイスについて複数の測定値を確定することであって、前記複数の測定値のそれぞれは測定タイプを含む、確定すること、
ディスプレイデバイス上にユーザインタフェースの特定のスクリーンを表示することであって、前記ユーザインタフェースは複数のスクリーンを備え、各スクリーンは、前記複数の測定値のそれぞれの測定タイプに関連付けられる、表示すること、および、
前記複数の測定値の１つまたは複数の測定値のそれぞれの状態に基づいて前記ユーザインタフェースの前記特定のスクリーン上でナビゲーションインジケータを選択的に提示することを含み、前記１つまたは複数の測定値は、前記特定のスクリーン上に示されない方法。
【請求項１２】
前記ナビゲーションインジケータは、１つまたは複数のユーザ入力に対応する外観を含み、前記ユーザ入力は、ボタン押下、ポインタ選択、タッチスクリーン選択、またはその組合せを含む請求項１１記載の方法。
【請求項１３】
前記１つまたは複数のユーザ入力を受信することを含み、前記１つまたは複数のユーザ入力は、前記ナビゲーションインジケータの外観に対応する請求項１２記載の方法。
【請求項１４】
前記受信される１つまたは複数のユーザ入力に応答して、前記１つまたは複数の測定値にそれぞれ関連付けられた前記複数のスクリーンの１つまたは複数のスクリーンを提示することを含む請求項１３記載の方法。
【請求項１５】
前記１つまたは複数の測定値の前記それぞれの状態は、目下アラーム発生状態、ラッチ済みアラーム状態、バイパス状態、またはその組合せを含む請求項１１記載の方法。
【請求項１６】
前記ナビゲーションインジケータの外観は、フィルカラーまたはボーダカラー、アニメーション強調、ボーダ強調、記号強調、サイズ強調、またはその組合せを含み、前記外観は、前記不規則状態の深刻度を示すように構成される請求項１１記載の方法。
【請求項１７】
電子デバイスのプロセッサによって実行可能な命令を記憶する非一時的コンピュータ可読媒体であって、前記命令は、
プロセッサによって、機械システムについての複数の測定値を、前記機械システムに結合された１つまたは複数のセンサから受信されるセンサ入力に基づいて確定する命令と、
ディスプレイデバイス上で、ユーザインタフェースの第１のスクリーンであって、特定の測定タイプを有する前記複数の測定値の第１の部分を含む、第１のスクリーンを提示する命令と、
前記複数の測定値の１つの測定値が第１の不規則状態を有し、かつ、前記測定値が前記複数の測定値の前記第１の部分の一部ではないと、前記プロセッサが判定すると、前記第１のスクリーン上で第１のナビゲーションインジケータを選択的に提示する命令とを含む媒体。
【請求項１８】
第１のユーザ入力を受信する命令を含み、前記第１のユーザ入力は前記第１のナビゲーションインジケータに対応し、前記ディスプレイデバイス上で、前記測定値を含む前記ユーザインタフェースの第２のスクリーンを提示する命令を含む請求項１７記載の媒体。
【請求項１９】
前記複数の測定値の第２の測定値が第２の不規則状態を有し、かつ、前記第２の測定値が前記第２のスクリーン上に提示されないと、前記プロセッサが判定すると、前記第２のスクリーン上で第２のナビゲーションインジケータを提示する命令を含む請求項１８記載の媒体。
【請求項２０】
第２のユーザ入力を受信する命令を含み、前記第２のユーザ入力は前記第２のナビゲーションインジケータに対応し、前記ディスプレイデバイス上で、前記第２の不規則状態を有する前記第１の測定値を含む前記ユーザインタフェースの前記第１のスクリーンを提示する命令を含む請求項１９記載の媒体。
【発明の詳細な説明】
【技術分野】
【０００１】
本明細書で開示される主題は、アセット状態モニタリングシステムなどの産業モニタリングシステムに関する。
【背景技術】
【０００２】
アセット状態モニタリングシステムなどの産業モニタリングシステムは、一般に、種々のタイプの機械デバイスおよびシステム用のモニタリング能力を提供する。たとえば、産業モニタは、ガスタービンシステムの１つまたは複数の動作パラメータをモニタリングすることができる。特定の例によって、産業モニタリングシステムは、ガスタービンシステム全体を通して配設されるいくつかのセンサ（たとえば、温度センサ、圧力センサ、流量センサなど）を含むことができる。こうしたセンサは、産業モニタリングシステムが、これらのセンサから受信される入力に少なくとも部分的に基づいて機械システムのパラメータを確定することを可能にすることができる。さらに、ある産業モニタリングシステムは、モニタリングされる機械システムの確定されたパラメータを（たとえば、オペレータに）提示するために使用することができる１つまたは複数のグラフィカルユーザインタフェース（ｇｒａｐｈｉｃａｌ  ｕｓｅｒ  ｉｎｔｅｒｆａｃｅ）（ＧＵＩ）を含むことができる。
【発明の概要】
【０００３】
最初に特許請求された発明と範囲が合っているいくつかの実施形態が以下で要約される。これらの実施形態は、特許請求される発明の範囲を制限するのではなく、むしろ、これらの実施形態は、本発明の考えられる形態の簡潔な要約を提供することだけを意図される。実際には、本発明は、以下で述べる実施形態と同様であるかまたは異なる場合がある種々の形態を包含することができる。
【０００４】
１つの実施形態では、システムは、機械システムに結合された複数のセンサからの入力を受信するように構成される産業モニタを含む。産業モニタは、受信された入力に少なくとも部分的に基づいて機械システムの動作に対応する複数の測定値を確定するように構成される。システムは、産業モニタに通信可能に結合されたディスプレイデバイスを含み、ディスプレイデバイスは、複数のスクリーンを有するユーザインタフェースを提示するように構成され、各測定値は、少なくとも１つのスクリーンに関連付けられる。さらに、複数のスクリーンの各スクリーンは、異なるスクリーンに関連付けられた測定値が不規則状態を有するとき、１つの外観を有するナビゲーションインジケータを選択的に提示するように構成される。
【０００５】
別の実施形態では、方法は、機械デバイスに結合された複数のセンサからの入力を受信すること、および、受信された入力に基づいて機械デバイスについて複数の測定値を確定することを含み、複数の測定値のそれぞれは測定タイプを有する。方法はまた、ディスプレイデバイス上にユーザインタフェースの特定のスクリーンを表示することを含み、ユーザインタフェースは複数のスクリーンを含み、各スクリーンは、複数の測定値のそれぞれの測定タイプに関連付けられる。方法は、特定のスクリーン上に示されない１つまたは複数の測定値のそれぞれの状態に基づいてユーザインタフェースの特定のスクリーン上でナビゲーションインジケータを選択的に提示することをさらに含む。
【０００６】
別の実施形態では、非一時的コンピュータ可読媒体は、電子デバイスのプロセッサによって実行可能な命令を記憶する。命令は、プロセッサによって、機械システムについての複数の測定値を、機械システムに結合された１つまたは複数のセンサから受信されるセンサ入力に基づいて確定する命令を含む。命令は、ディスプレイデバイス上で、ユーザインタフェースの第１のスクリーンであって、特定の測定タイプを有する複数の測定値の第１の部分を含む、第１のスクリーンを提示する命令を含む。命令はまた、複数の測定値の１つの測定値が第１の不規則状態を有し、かつ、その測定値が複数の測定値の第１の部分の一部ではないと、プロセッサが判定すると、第１のスクリーン上で第１のナビゲーションインジケータを選択的に提示する命令とを含む。
【０００７】
本発明のこれらのまた他の特徴、態様、および利点は、以下の詳細な説明が添付図面を参照して読まれるとよりよく理解される。添付図面において、同じ記号は、図面全体を通して同じ部品を示す。
【図面の簡単な説明】
【０００８】
【図１】モニタリングシステムのいくつかの入力および出力を含む産業モニタリングシステムの１つの実施形態を示す図である。
【図２】モジュール式アセット状態モニタならびにモニタと通信状態にある他のデバイスの１つの実施形態を示す図である。
【図３】グラフィカルユーザインタフェース（ＧＵＩ）を表示するためのスクリーンを含む図２のモジュール式アセット状態モニタのモジュールの１つの実施形態の斜視図である。
【図４】ＧＵＩを表示するためのスクリーンを含む可搬型モニタリングデバイスの１つの実施形態の斜視図である。
【図５】ＧＵＩを表示するためのスクリーンを含む可搬型コンピューティングデバイスの１つの実施形態の斜視図である。
【図６】ＧＵＩの１つの実施形態のためのいくつかのスクリーンを示す図である。
【図７】異なるダイレクトビュースクリーン上に提示される１つの測定値が不規則状態を有することを示す方向インジケータを有するダイレクトビュースクリーンの１つの実施形態のスクリーン表示である。
【図８】アニメ化強調を有する方向インジケータを有するダイレクトビュースクリーンの１つの実施形態のスクリーン表示である。
【図９】ボーダ強調を有する方向インジケータを有するダイレクトビュースクリーンの１つの実施形態のスクリーン表示である。
【図１０】記号強調を有する方向インジケータを有するダイレクトビュースクリーンの１つの実施形態のスクリーン表示である。
【図１１】拡大方向インジケータを有するダイレクトビュースクリーンの１つの実施形態のスクリーン表示である。
【図１２】それぞれが不規則状態の深刻度を示すためのカラーを有する複数の方向インジケータを有するダイレクトビュースクリーンの１つの実施形態のスクリーン表示である。
【図１３】不規則状態に陥る測定タイプについてのダイレクトビュースクリーンの１つの実施形態のスクリーン表示である。
【図１４】問題のある測定値が正常または健全状態に戻った後の、図１３のダイレクトビュースクリーンの実施形態のスクリーン表示である。
【図１５】異なるダイレクトビュースクリーン上に提示される１つの測定値が不規則状態を有することを示す方向インジケータを有する図１４のダイレクトビュースクリーンの実施形態のスクリーン表示である。
【発明を実施するための形態】
【０００９】
本発明の１つまたは複数の特定の実施形態が以下で述べられる。これらの実施形態の簡潔な説明を提供しようとして、実際の実施態様の全ての特徴が本明細書で述べられない場合がある。任意のこうした実際の実施態様の開発時に、任意の工学または設計プロジェクトの場合と同様に、多数の実施態様固有の決定が行われて、実施態様ごとに変動する場合があるシステム関連制約およびビジネス関連制約に関する遵守などの開発者の特定の目標を達成しなければならないことを認識すべきである。さらに、こうした開発努力は、複雑でかつ時間がかかるが、それでも、本開示の利益を受ける当業者にとって、設計、作製、および製造についての日常の仕事であることになることを認識すべきである。
【００１０】
本発明の種々の要素の所定の要素を導入するとき、冠詞「ある（ａ）」、「ある（ａｎ）」、「その（ｔｈｅ）」、および「前記（ｓａｉｄ）」は、その要素の１つまたは複数が存在することを意味する。用語「備える（ｃｏｍｐｒｉｓｉｎｇ）」、「含む（ｉｎｃｌｕｄｉｎｇ）」、および「有する（ｈａｖｉｎｇ）」は、包含的であることを意図され、また、挙げる要素以外のさらなる要素が存在する場合があることを意味する。
【００１１】
先に述べたように、産業モニタリングシステムは、一般に、ターボ機械システム、発電システム、ガス化システム、または化学生産システム等の、機械デバイスまたはシステムの１つまたは複数の動作パラメータのモニタリングを可能にする。たとえば、開示される実施形態は、ガスタービンシステム、蒸気タービンシステム、コンバインドサイクルシステム、電力プラント、またはそれらの任意の組合せと共に使用されるかまたはそれと一体化されることができる。産業モニタリングシステムは、動作中の機械デバイスの態様を測定するために機械デバイスの所定の部分に結合されたいくつかのセンサを含むことができる。これらのセンサは、温度センサ、圧力センサ、流量センサ、クリアランスセンサ、近接センサ、火炎センサ、ガス成分センサ、振動センサ、電流センサ、電圧センサ、他の適したセンサ、または、それらの組合せを含むことができる。したがって、産業モニタは、いくつかのチャネルを含むことができ、チャネルのそれぞれは、１つまたは複数のセンサからの入力を受信して、機械デバイスまたはシステムについての１つまたは複数の測定値を確定することができる。さらに、産業モニタは、１つまたは複数の所定の閾値に対する各測定の値に少なくとも部分的に基づいて、各状態または測定値についての適切な状態を確定することができる。
【００１２】
したがって、本実施形態は、産業モニタリングシステムであって、産業モニタリングシステムがオペレータにグラフィカルユーザインタフェース（ＧＵＩ）を表示することを可能にする（たとえば、産業モニタ、ワークステーション、可搬型モニタリングデバイス、スマートフォンデバイス、または別の適したデバイス上に配設される）１つまたは複数のディスプレイデバイスを含む、産業モニタリングシステムを対象とする。さらに、ＧＵＩは、たとえば産業モニタのチャネルについての名前ならびに各チャネルによって収集される測定値を表示する種々のスクリーンを含むことができる。産業モニタリングシステムのディスプレイデバイスは、制限された寸法を有する場合があり、そのことが、次に、情報を表示するために利用可能なスクリーン空間を制限する場合がある。
【００１３】
したがって、本実施形態は、以下で詳細に論じられる特徴を含み、それらの特徴は、一般にディスプレイデバイス上に表示されるＧＵＩの各スクリーンによって伝達される情報量を最大にすることを対象とする。本実施形態は、たとえば、１つまたは複数の視覚的効果またはキューを使用して、産業モニタの各チャネルについての結合式測定値状態をオペレータに伝達することができる。これは、オペレータが同様な判定を行うためにＧＵＩのいくつかのスクリーンを通してナビゲートする必要なしで、オペレータが、たとえば、１つまたは複数のチャネルが不規則状態（たとえば、目下アラーム発生状態またはラッチ済みアラーム状態）を有する測定値を含むと判定することを可能にすることができる。したがって、本実施形態は、オペレータが、モニタリングされる機械デバイスまたはシステムにおいてより迅速に問題を特定しそれに対処することを可能にすることができる効率的なＧＵＩを提供する。
【００１４】
上記を考慮して、図１は、ガスタービンシステム１２の種々の動作パラメータをモニタリングするための産業モニタリングシステム１０を示す。ガスタービンシステム１２が、モニタリングされる機械システムの一例として提供されるが、他の実施形態では、産業モニタリングシステム１０が、任意の機械デバイスまたは機械システムの動作パラメータをモニタリングするために使用されることができることを認識できる。たとえば、産業モニタリングシステム１０は、軸流圧縮機、ねじ圧縮機、ギア、ターボエキスパンダ、横軸および縦軸遠心ポンプ、電動機、発電機、ファン、ブロア、攪拌機、混合機、遠心機、パルプリファイナ、ボールミル、破砕機、粉砕機、押出し機、ペレタイザ、冷却塔、熱交換器、または他の適した機械デバイスの動作パラメータをモニタリングするために使用されることができる。さらに、産業モニタリングシステム１０は、より大きな機械システム（たとえば、蒸気タービンシステム、油圧タービンシステム、風力タービンシステム、原子炉、ガス化器、ガス処理システム、産業自動化システム、または他の適した機械システム）の１つまたは複数の機械デバイスを測定するために使用されることができる。
【００１５】
図１に示す産業モニタリングシステム１０は、少なくとも１つのプロセッサ１６およびメモリ１８を含む、以降でモニタ１４と呼ばれるアセット状態モニタ１４を含む。図１に示すモニタ１４は、クリアランスセンサまたは近接プローブ２０、速度変換器２２、加速度計２４、振動または地震センサ２６、圧力センサ２８、温度センサ３０、および回転速度センサ３２を含むいくつかのセンサに結合される。センサ２０、２２、２４、２６、２８、３０、および３２は、例として設けられるだけであること、および、機械デバイスまたはシステム（たとえば、ガスタービンシステム１２）の動作および性能に関連する測定を実施するのに適している任意の他のセンサ（たとえば、流量センサ、ガス成分センサ、磁界センサ、火炎センサ、電流センサ、電圧センサなど）が使用されることができることを認識すべきである。
【００１６】
図１に示すように、モニタ１４に通信可能に結合される種々のセンサ２０、２２、２４、２６、２８、３０、および３２は、モニタ１４に入力を提供することができ、それにより、モニタ１４は、プロセッサ１６およびメモリ１８を使用して、モニタリングされる機械システム（たとえば、ガスタービンシステム１２）の１つまたは複数の動作パラメータを確定することができる。たとえば、示すモニタ１４は、１つまたは複数の回転速度センサ３２からガスタービンシステム１２のシャフトの回転速度の測定値からの入力を受信することができ、また、１つまたは複数の回転速度センサ３２ならびにガスタービンシステム１２に機能的に結合された他のセンサから受信される入力に基づいて動作パラメータ（たとえば、シャフトの回転レート、ガスタービンシステム１２の電力出力または負荷、あるいは任意の他の適した動作パラメータ）を確定することができる。以下で詳細に述べるように、ある実施形態では、モニタリングされる機械システムの各動作パラメータが、モニタ１４の単一チャネルによって確定されることができ、モニタ１４の各チャネルが、（センサ２０、２２、２４、２６、２８、３０、および３２から受信される入力に基づいて）１つまたは複数の測定値を確定して、動作パラメータを確定することができることを認識できる。
【００１７】
図１は、センサ２０、２２、２４、２６、２８、３０、および３２から受信される種々の入力に基づいてモニタ１４によって確定（たとえば、計算または推定）されることができるモニタリングされる機械システム（たとえば、ガスタービンシステム１２）のいくつかの例示的な動作パラメータを示す。図１に示す実施形態の場合、モニタ１４は、ガスタービンシステム１２またはその任意のコンポーネント（たとえば、圧縮機、シャフト、ポンプ、弁など）の径方向振動３４、径方向位置３６、軸方向位置３８、偏心度４０、地震振動４２、シャフト位置４４、膨張差４６、ロータ速度４８、ロータ加速度５０、温度５２、および／または任意の他の適した動作パラメータを確定することができる。たとえば、モニタ１４は、プロセッサ１６およびメモリ１８を使用して、１つまたは複数の近接プローブ２０からの入力を処理し、それにより、ガスタービンシステム１２のタービンセクションのケーシングの膨張差４６を確定することができる。さらなる例によって、モニタ１４は、１つまたは複数の回転速度センサ３２および／または１つまたは複数の加速度計２４からの入力を処理して、ガスタービンシステム１２のシャフトのロータ加速度５０を確定することができる。
【００１８】
ある実施形態では、いくつかのモニタ（たとえば、モニタ１４）が、モジュール方式で結合されて、モジュール式モニタリングシステムを形成することができる。たとえば、以降でモニタリングシステム６０と呼ばれる図２に示すモジュール式アセット状態モニタリングシステム６０は、モニタリングシステム６０の動作中に特定の機能を実施するのに適するいくつかのモジュールを含む。たとえば、図２に示すモニタリングシステム６０の実施形態では、電源モジュール６１は、交流（ａｌｔｅｒｎａｔｉｎｇ  ｃｕｒｒｅｎｔ）（ＡＣ）または直流（ｄｉｒｅｃｔ  ｃｕｒｒｅｎｔ）（ＤＣ）電力を受取り、任意の適した電力変換を実施して、モニタリングシステム６０に電力を提供することができる。他の実施形態では、電源モジュール６１は、モジュール式アセット状態モニタリングシステム６０のモジュールではなく、むしろ、モジュール式アセット状態モニタリングシステム６０に結合された別個のコンポーネントとすることができる。示すモニタリングシステム６０はまた、構成ソフトウェア、ディスプレイソフトウェア、条件付けソフトウェア、およびモニタリングソフトウェア、ならびに外部制御システムに対して、モニタの主要なインタフェースを提供することができる。システムモニタまたは過渡的データインタフェース（ｔｒａｎｓｉｅｔ  ｄａｔａ  ｉｎｔｅｒｆａｃｅ）（ＴＤＩ）６２を含む。たとえば、ＴＤＩ６２は、適した通信プロトコルをサポートして、モニタリングシステム６０を、他のモニタリングシステム６４に、制御システム６６（たとえば、プロセス制御システム、ヒストリアン、ならびに他のプラント制御および自動化システム）に、コンピュータワークステーション６８に、可搬型モニタリングデバイス７０に、可搬型コンピューティングデバイス７２および／または他の適したデバイスに通信可能に結合することができる。
【００１９】
電源モジュール６１およびＴＤＩ６２に加えて、図２に示すモニタリングシステム６０はまた、いくつかの他のモジュール、すなわち、それぞれが図１のアセット状態モニタ１４の実施形態であるモニタモジュール７４、７６、７８、および８０を含む。すなわち、各モニタモジュール７４、７６、７８、および８０は、それぞれのプロセッサ１６およびメモリ１８を含むことができ、それぞれのプロセッサ１６およびメモリ１８は、種々のセンサ（たとえば、図１のセンサ２０、２２、２４、２６、２８、３０、および／または３２）からの入力を受信し処理して、モニタリングされる機械デバイスまたはシステム（たとえば、ガスタービンシステム１２）の１つまたは複数の動作パラメータを確定するように構成される。たとえば、モニタモジュール７４は、いくつかのチャネル（たとえば、４、５、６、８、１０、１２、１６、１８、２０の、または別の適した数のチャネル）を含むことができ、チャネルのそれぞれは、いくつかのセンサからの入力を受信して、機械システムの径方向振動３４、径方向位置３６、軸方向位置３８、偏心度４０、膨張差４６、ロータ速度４８、ロータ加速度５０、または別の適した動作パラメータのうちの１つを確定することができる。特定の例によって、モニタモジュール７６は、４つのチャネルを含むことができ、チャネルのそれぞれは、いくつかのセンサからの入力を受信して、ケース膨張または他のタイプの膨張差（たとえば、標準的単一傾斜（ｒａｍｐ）膨張差、非標準的単一傾斜膨張差、２重傾斜膨張差、相補的膨張差）、軸方向位置３８、および他の位置測定値（たとえば、弁位置）のうちの１つを確定することができる。さらなる例によって、モニタモジュール７８は、ある実施形態では、６つのチャネルを含むことができ、チャネルのそれぞれは、モニタリングされる機械システムの一部分内の特定の温度５２をモニタリングするのに専用である。
【００２０】
したがって、モニタモジュールの各チャネルは、いくつかのセンサ（たとえば、センサ２０、２２、２４、２６、２８、３０、および／または３２）からいくつか（たとえば、１〜５００、１〜１００、１〜５０、または１〜２０）の入力を受信して、機械システムの動作パラメータを確定することができる。機械システムについて総合的な動作パラメータ値を確定するまでの間に、受信されるセンサ入力に基づいて確定することができるいくつか（たとえば、１、２、４、５、６、７、８、または別の適した数）の基礎になる測定値を、各チャネルが含むことができることをさらに認識できる。たとえば、４チャネルモニタモジュール（たとえば、モニタモジュール７４）の実施形態は、機械システムの４つの動作パラメータを確定することができる。しかし、ある実施形態では、各チャネルが８つの測定値を含むことができるため、こうした４チャネルモニタは、実際には、センサ入力から最大３２の個別の測定値を確定することができる。特定の例によって、ある実施形態では、径方向振動チャネルは、基本的総合（直接）振動振幅、ギャップ電圧、フィルタリング済み振幅（たとえば、１倍フィルタリング済み振幅および２倍フィルタリング済み振幅）、フィルタリング済み位相（たとえば、１倍フィルタリング済み位相および２倍フィルタリング済み位相）、ＮＯＴ  １倍振幅、およびＳｍａｘ（たとえば、最大位相）を含む、最大８つの測定値を確定することができる。さらに、アラーム閾値が、各チャネルによって確定される各測定値について個々に設定されることができる（たとえば、Ｓｍａｘは、アラーム状態を回避するために閾値未満に留まるべきである）ことを認識できる。モニタモジュールの他の実施形態は、１〜１００（たとえば、１、２、３、４、５、６、７、８、９、１０、１１、１２、１３、１４、または１５）のチャネルを含むことができ、それぞれが、機械システムの動作パラメータをモニタリングするために１〜１００（たとえば、１、２、３、４、５、６、７、８、９、１０）の測定値を確定することが可能である。さらに、モジュール式モニタリングシステム６０の他の実施形態は、たとえば、１〜５０、１〜２５、１〜１０、１〜８のモニタモジュールを含むことができる。
【００２１】
図３は、図２のモニタモジュール７４の１つの実施形態の斜視図を示す。モニタモジュール７４の示す実施形態は、オペレータによって可搬型試験計器に結合することができる、モニタモジュール７４の前面に配設された４つのバッファ付き出力接続部９０（たとえば、同軸接続部または他の適した接続部）を含む。他の実施形態では、モニタモジュール７４は、任意の数のバッファ付き出力接続部９０を含むことができる。さらに、ある実施形態では、モニタモジュール７４はまた、モニタモジュール７４の前面に配設されたいくつかの発光ダイオード（ＬＥＤ）９２を含むことができ、発光ダイオード（ＬＥＤ）９２が使用されて、モニタモジュール７４の状態（たとえば、正常、アラート、接続済み、バイパス、ノード電圧、「ノットオーケー（Ｎｏｔ  Ｏｋ）」、または同様な状態）を示すことができる。
【００２２】
図３の示すモニタモジュール７４はまた、モニタモジュール７４のオペレータに情報を表示するために使用することができるディスプレイデバイス９４を含む。たとえば、ディスプレイデバイスは、液晶ディスプレイ（ＬＣＤ）、発光ダイオード（ＬＥＤ）、有機発光ダイオード（ＯＬＥＤ）、または別の適したカラーディスプレイデバイスであるとすることができる。さらに、モニタモジュール７４はまた、入力デバイス（たとえば、上矢印ボタン９５および下矢印ボタン９６）を含み、入力デバイスが、オペレータによって操作されて、たとえば、グラフィカルユーザインタフェース（ＧＵＩ）９８のいくつかのスクリーンのうちのどのスクリーンがディスプレイデバイス９４上に目下表示されているかを制御することができる。他の実施形態では、他の入力デバイス（たとえば、ボタン、ダイアル、キーボード、マウス、タッチスクリーン、または任意の他の適した入力デバイス）が、付加的にまたは代替的に、モジュール７４と共に使用されることができる。以下で詳細に論じるように、ＧＵＩ９８は、モニタモジュール７４によって目下モニタリングされているチャネルの名前ならびに各チャネルによって目下収集されている測定値についてのグラフィカル表現のためのスクリーンを含むことができる。
【００２３】
図２に示すように、ある実施形態では、他のデバイスが、ＧＵＩ９８を提示するために使用されることができることを認識できる。したがって、図４は、オペレータにＧＵＩ９８を提示するために使用することができる小型でタブレットに似たデバイスであるとすることができる可搬型モニタリングデバイス７０の１つの実施形態の斜視図を示す。同様に、図５は、スマートフォン、タブレット、ラップトップ、または同様なモバイル処理デバイスであるとすることができる可搬型コンピューティングデバイス７２の１つの実施形態の斜視図を示す。図４の可搬型モニタリングデバイス７０および図５の可搬型コンピューティングデバイス７２は共に、一般に、プロセッサを含むことができ、プロセッサが使用されて、それぞれのディスプレイデバイス９４上にＧＵＩ９８の種々のスクリーンを提示するため、メモリに記憶された命令を実行することができる。同様に、可搬型モニタリングデバイス７０および可搬型コンピューティングデバイス７２は、デバイスが、ＧＵＩ９８を提示するためモニタリングシステム６０と通信することを可能にする通信回路（たとえば、無線ネットワーク化回路）を含むことができる。さらに、可搬型モニタリングデバイス７０および可搬型コンピューティングデバイス７２は、ユーザ入力１００を含むことができ、ユーザ入力１００が、オペレータによって使用されて、たとえば、ＧＵＩ９８のどのスクリーンが各デバイスのディスプレイデバイス９４上にそれぞれ目下提示されているかを制御することができる。
【００２４】
図６は、図３のモニタモジュール７４、図４の可搬型モニタリングデバイス７０、および／または図５の可搬型コンピューティングデバイス７２のそれぞれのディスプレイ９４の１つまたは複数上に表示することができるＧＵＩ９８の１つの実施形態を示す。図６に示すように、ある実施形態では、ＧＵＩ９８は、いくつかのスクリーンを含むことができ、いくつかのスクリーンは、連続ループで論理的に配置され、それにより、オペレータは、ユーザ入力（たとえば、図３に示す上矢印ボタン９５または下矢印ボタン９６）を連続して押すことによって、ＧＵＩ９８の全てのスクリーンを漸進的に循環することができる。図６に示すように、第１のスクリーンは、測定タイプスクリーン１１２であるとすることができ、測定タイプスクリーン１１２は、モニタ（たとえば、モニタモジュール７４）によって目下実施されている測定のタイプのリスト（たとえば、視覚表現）を含むことができる。示す実施形態の場合、測定タイプスクリーン１１２は、４つの測定タイプ、すなわち、測定タイプ１１４（すなわち、スラスト（ＴＨＲＵＳＴ））、測定タイプ１１６（すなわち、偏心度（ＥＣＣＥＮＴＲＩＣＩＴＹ））、測定タイプ１１８（すなわち、径方向振動（ＲＡＩＤＡＬ  ＶＩＢＲＡＴＩＯＮ））、および測定タイプ１２０（すなわち、速度（ＶＥＬＯＣＩＴＹ））を含む。
【００２５】
図６に示すＧＵＩ９８は、いくつかのダイレクトビュースクリーン１２２、すなわち、ダイレクトビュースクリーン１２４、１２６、１２８、および１３０を含み、それぞれが、特定の測定タイプ（たとえば、測定タイプ１１４、１１６、１１８、１２０の１つ）にそれぞれ関連付けることができる。たとえば、図６のダイレクトビュースクリーン１２４は、３つのグラフィカル表現（たとえば、棒グラフ１３１、１３２、および１３３）を示し、それぞれが、モニタモジュール７４の異なるチャネルによって目下確定されている異なる総合スラスト測定値を示す。特定の例によって、総合測定値 １３１、１３２、および１３３のそれぞれは、モニタリングされる機械システム１２の３つの異なるコンポーネントについてモニタモジュール７４によって確定されている総合または累積スラスト測定値を提供することができる。さらに、示すダイレクトビュースクリーン１２４は、ダイレクトビュースクリーン１２４上に示す総合測定値１３１、１３２、および１３３について数値を提示するために使用することができるリアルタイム値（ｒｅａｌ−ｔｉｍｅ−ｖａｌｕｅ）（ＲＶ）セクション１３４を含む。他の実施形態では、グラフィカル表現が、折れ線グラフ、円グラフ、ベン図、または先に論じたディスプレイデバイス９４上に提示することができる任意の他の適したグラフィカル表現であるとすることができることを認識できる。論じたダイレクトビュースクリーン上のデータ（たとえば、データスケール、単位、チェックマークなど）の提示が、例証のためであり、示す測定値について特定値または相対値を伝達することによって本開示を制限することを意図されないことも認識できる。
【００２６】
図６のＧＵＩ９８に示す総合測定値（たとえば、総合測定値１３１、１３２、および１３３）がそれぞれ、モニタモジュール７４の１つまたは複数のチャネルによって確定されている特定の測定タイプ（たとえば、スラスト）の動作パラメータを示すことができることを認識できる。換言すれば、総合測定値１３１、１３２、および１３３はそれぞれ、先に論じたように、１つまたは複数のセンサからの入力に基づいて各チャネルによって確定することができるいくつかの基礎になる測定値の集大成を示すことができる。ある実施形態では、ＧＵＩ９８が、各チャネルによって確定される測定値のそれぞれについてさらなるスクリーンを含むことができることをさらに認識できる。たとえば、ある実施形態では、モニタモジュール７４の各チャネルが８つの測定値（たとえば、総合振幅、ギャップ電圧、１倍フィルタリング済み振幅、２倍フィルタリング済み振幅、１倍フィルタリング済み位相、２倍フィルタリング済み位相、ＮＯＴ  １倍振幅、およびＳｍａｘ）を含む場合、７つのさらなるダイレクトビュースクリーンが、図６に示すＧＵＩ９８内に、各総合ダイレクトビュースクリーン（たとえば、ダイレクトビュースクリーン１２４、１２６、１２８、および１３０）後に挿入されることができる。さらに、こうした実施形態の場合、さらなるスクリーンのそれぞれが、同じ測定タイプの複数の測定値を示すことができることを認識できる。示す実施形態の場合、総合スラストダイレクトビュースクリーン１２４が、棒グラフ１３１、１３２、および１３３によってスラスト測定タイプ１１４の３つの異なる総合測定値を示すため、スラスト測定タイプ１１４に関連付けられたそれぞれのさらなるスクリーン（ギャップ電圧スクリーン、１倍フィルタリング済み振幅スクリーン、２倍フィルタリング済み振幅スクリーン、１倍フィルタリング済み位相スクリーン、２倍フィルタリング済み位相スクリーン、ＮＯＴ  １倍振幅スクリーン、およびＳｍａｘスクリーン）は、同様に、それぞれが、モニタリングされる機械システム１２の異なるコンポーネントの測定値に対応する３つの棒グラフを含むことができる。
【００２７】
図６に示すように、ダイレクトビュースクリーン１２６は、偏心度測定タイプ１１６の総合測定値をグラフィカルに示す棒グラフ１３５および１３６を含む。さらに、ダイレクトビュースクリーン１２４のように、示すダイレクトビュースクリーン１２６は、棒グラフ１３５および１３６によって示される総合測定値について数値を提示するために使用することができるＲＶセクション１３８を含む。示すダイレクトビュースクリーン１２８は、径方向振動測定タイプ１１８の総合測定値を示す棒グラフ１３９、１４０、１４１、および１４２を含む。ダイレクトビュースクリーン１２８は、棒グラフ１３９、１４０、１４１、および１４２によって示される総合測定値について数値を提示するＲＶセクション１４４をさらに含む。さらに、示すダイレクトビュースクリーン１３０は、速度測定タイプ１２０の単一総合測定値を示す棒グラフ１４６ならびに棒グラフ１４６によって示される総合測定値について数値を提示するＲＶセクション１４８を含む。したがって、ダイレクトビュースクリーン１２２の任意のダイレクトビュースクリーンが、同じ測定タイプの複数の測定値を示すために任意の数（たとえば、１、２、３、４、５、６、７、８、９、１０、またはそれを超える数）のグラフィカル表現（たとえば、棒グラフ）を含むことができることを認識できる。
【００２８】
さらに、先に述べたように、オペレータは、たとえば図３に示すユーザ入力９５および／またはユーザ入力９６を使用して、ＧＵＩ９８の種々のスクリーンを通してナビゲートすることができる。したがって、図６の実施形態について示すように、ＧＵＩ９８は、スクリーン１１２、１２４、１２６、１２８、および１３０を互いに接続して、オペレータによって提供される入力に基づいてどのスクリーンがその後提示されることができるかを示すいくつかの方向矢印１５０を含む。たとえば、図６の実施形態について示すように、スクリーン１２４を観察するとき、ＧＵＩ９８は、下矢印ボタン９６からのオペレータ入力を受信する場合、スクリーン１１２の提示を中止し、引き続きスクリーン１２４を提示することができる。その後、ＧＵＩ９８がスクリーン１２４を提示しているとき、ＧＵＩ９８は、もう一度下矢印ボタン９６からのオペレータ入力を受信する場合、ディスプレイ９４にスクリーン１２６を提示させることができる。しかし、ＧＵＩ９８が、スクリーン１２４を提示しているときに、代わりに、上矢印ボタン９５からのオペレータ入力を受信する場合、ＧＵＩ９８は、ディスプレイ９４にもう一度スクリーン１１２を提示させることができる。したがって、方向矢印１５０で示すように、ＧＵＩ９８は、たとえば単一ユーザ入力（たとえば、上矢印ボタン９５または下矢印ボタン９６）を使用して、オペレータがＧＵＩ９８の種々のスクリーンを通して循環することを可能にする連続ループとして論理的に配置されることができる。図６に示すレイアウトが例として提供されるだけであること、および、ある実施形態では、スクリーンの他の配置および／またはスクリーン上の要素の他の配置がＧＵＩ９８で利用されることができることを認識できる。
【００２９】
前記を考慮して、オペレータがＧＵＩ９８の特定のスクリーンを観察しているときに、提示することができる情報量が、たとえばディスプレイデバイス９４のサイズによって制限されることができることを認識できる。たとえば、オペレータは、図６に示すダイレクトビュースクリーン１２４を観察しているときに、ＧＵＩ９８のスクリーン１２８上に含まれる情報を同時に観察することが可能でない場合がある。したがって、図６に示すように、ダイレクトビュースクリーン１２４を観察するオペレータは、ダイレクトビュースクリーン１２８に関連関連付けられた測定タイプ１１８が、不規則状態に陥る１つまたは複数の測定値を有することを知らない場合がある。本明細書で使用されるように、不規則状態は、たとえば、目下アラーム発生状態（たとえば、所定の閾値を超える値を目下有する測定値）、ラッチ済みアラーム状態（たとえば、所定の閾値を以前に超えた値であって、その値について、アラームがクリアされていない、値を有する測定値）、バイパス状態（たとえば、一時的に確定されていない測定値）、または、正常または健全状態でない任意の他の状態を指すことができる。したがって、本実施形態は、ＧＵＩ９８のスクリーン（たとえば、ダイレクトビュースクリーン１２２）の提示時にさらなる情報をエンコードする方法を可能にし、それにより、オペレータは、各チャネルによって確定される種々の測定値の状態に関するさらなる情報を効率的に収集することができる。
【００３０】
たとえば、図７〜図１２は、図６に示すダイレクトビュースクリーン１２４の実施形態を示す。より具体的には、図７〜図１２は、１つまたは複数のナビゲーションインジケータ（たとえば、方向インジケータ）を有するダイレクトビュースクリーン１２４Ａ〜１２４Ｆを示し、１つまたは複数のナビゲーションインジケータは、ダイレクトビュースクリーン１２４Ａ〜１２４Ｆの任意のダイレクトビュースクリーンを観察するオペレータが、別の測定値（たとえば、ダイレクトビュースクリーン１２４Ａ〜１２４Ｆ上で提示される測定値とそれぞれ異なる）が不規則状態（たとえば、目下アラーム発生状態、ラッチ済みアラーム状態、バイパス状態、または、任意の他の不規則状態）を有することを確認することを可能にすることができる。さらに、以下で詳細に述べるように、ある実施形態では、ナビゲーションインジケータはまた、１つまたは複数の測定値が陥っている不規則状態の深刻度（たとえば、不規則状態を有する測定値の数、測定値が不規則状態を有していた時間量、測定値が閾値を超えてどれほど遠くまで達したか、または、深刻度の同様の指標）をオペレータに伝達することができる。ある実施形態では、図７〜図１２の実施形態について述べるナビゲーションインジケータの提示の任意の１つまたは複数の提示が、種々の組合せで共に使用されることができることを認識すべきである。
【００３１】
たとえば、図７は、上述したように、３つの棒グラフ１３１、１３２、および１３３ならびにＲＶセクション１３４を含むダイレクトビュースクリーン１２４Ａの１つの実施形態のスクリーン表示である。さらに、ダイレクトビュースクリーン１２４Ａについて示すように、２つの方向インジケータ（たとえば、上方向インジケータ１６０および下方向インジケータ１６２）は、一般に、別の測定値（たとえば、軸受２の総合スラスト以外）が不規則状態を有することを示すために使用されることができる。たとえば、上方向インジケータ１６０および／または下方向インジケータ１６２は、別の測定値が不規則状態を有することをオペレータに示すために特定の方法（たとえば、特定のフィルカラーおよび／またはボーダカラーを有する）で示されることができる。
【００３２】
換言すれば、図６に示し、先に論じたように、ある実施形態では、ＧＵＩ９８は、次々に配設されたスクリーンの連続ループとして論理的に配置されることができ、それにより、オペレータは、たとえばユーザ入力９５および９６を使用してＧＵＩ９８を漸進的にナビゲートすることができる。したがって、ある実施形態では、図７に示すダイレクトビュースクリーン１２４Ａは、上方向インジケータ１６０（たとえば、上矢印ボタン９５に対応する）および／または下方向インジケータ１６２（たとえば、下矢印ボタン９６に対応する）を含んで、不規則状態を有する測定値に関連付けられたダイレクトビュースクリーン１２２に達するためにオペレータがＧＵＩ９８を通ってどの方向に進むべきか（たとえば、不規則状態を有する測定値を提示することになるスクリーンに対する最短経路）を示すことができる。ある実施形態では、ダイレクトビュースクリーン１２４Ａは、オペレータが、対応する入力（たとえば、図３の上矢印ボタン９５）を、１回または複数回提供して、不規則状態を有する測定値を提示するダイレクトビュースクリーンに達することができることを示すため、単一ナビゲーションインジケータ（たとえば、方向インジケータ１６０）を含むことができるだけである。ある実施形態では、両方の方向インジケータ（たとえば、方向インジケータ１６０および１６２）が使用されて、複数の測定値が不規則状態を有すること、および、オペレータが、対応する入力（たとえば、図３の上矢印ボタン９５または下矢印ボタン９６）を提供して、不規則状態に陥る測定値に関連付けられたダイレクトビュースクリーンを観察することができることを示すことができる。
【００３３】
さらに、ある実施形態では、方向インジケータ（たとえば、方向インジケータ１６０および１６２）は、他の測定値が陥っている不規則状態の深刻度の指標を提供することができる。たとえば、図７に示すように、上方向インジケータ１６０は、フィルカラー１６４を有し、フィルカラー１６４は、示す方向において不規則状態に陥る測定値が、下方向において不規則状態に陥る測定値（たとえば、フィルカラー１６６を有する下方向インジケータ１６２によって示される）より深刻な状態を有することを示すことができる。特定の例によって、ある実施形態では、上方向インジケータ１６０のカラーは、現在提示されるダイレクトビュースクリーン１２４Ａの上のどこかに配設されるダイレクトビュースクリーン上に示す測定値が、目下アラーム発生状態に陥っている場合があることをオペレータに示すためレッドであるとすることができる。さらに、こうした実施形態では、下方向インジケータ１６２のカラーは、ダイレクトビュースクリーン１２４Ａの下のどこかに配設される測定値が、ラッチ済みアラーム状態に陥っている場合があることを示すためイエローであるとすることができる。先に述べたカラーが、単に例として提供されること、および、任意の適したカラー（たとえば、オレンジ、グリーン、ブルー、パープル、グレイ、ブラックなど）が使用されて、別の測定値が陥っている不規則状態の深刻度をオペレータに伝達することができることを認識できる。ある実施形態では、カラーのシェード（たとえば、ダークイエローからブライトイエローまで）が使用されて、測定値の漸進的に増加する深刻度の状態を示すことができる。さらに、ある実施形態では、深刻度は、たとえば、不規則状態を有する示された方向における測定値の数、示された方向における１つまたは複数の測定値が不規則状態を有した時間量、１つまたは複数の測定値のそれぞれが閾値を超えてどれほど遠くまで達したか、および／または、深刻度の同様の指標に基づくことができる。
【００３４】
図８は、アニメ化強調を用いる方向インジケータ１７０を有するダイレクトビュースクリーン１２４Ｂの別の実施形態のスクリーン表示を示す。すなわち、示す実施形態の場合、ダイレクトビュースクリーン１２４Ｂは、単一方向インジケータ１７０を含み、単一方向インジケータ１７０は、特定のダイレクトビュースクリーン（たとえば、ＧＵＩ９８によって目下提示されているダイレクトビュースクリーン１２４Ｂの上で、ある数のスクリーンだけ上に配設された）に関連付けられた少なくとも１つの測定値が不規則状態に陥っていることを示す。さらに、示す方向インジケータ１７０は、ライン１７２で示すようにアニメ化強調を含む。たとえば、ある実施形態では、方向インジケータ１７０は、ブリンクする、フラッシュする、ストローブすることができる、または、不規則状態を有する測定値を示すダイレクトビュースクリーンの方向および／または深刻度をオペレータに伝達することができる任意の他の適したアニメ化強調を含むことができる。
【００３５】
特定の例によって、方向インジケータ１７０は、ある実施形態では、アニメ化強調の周波数レート（たとえば、ブリンキングレートまたはストロービングレート）を利用して、示される方向に配設されるダイレクトビュースクリーン上に示す１つまたは複数の測定値の状態の深刻度を示すことができる。たとえば、ある実施形態では、方向インジケータ１７０は、第１の（たとえば、遅い）レートでブリンクして、不規則状態を有する１つの測定値が、示される方向においてダイレクトビュースクリーン上に配設されることを示すことができ、また、第２の（たとえば、速い）レートでブリンクして、不規則状態を有する２つ以上の測定値が、示される方向においてダイレクトビュースクリーン上に配設されることを示すことができる。上記は例に過ぎないこと、および、開示されるアニメ化強調１７２が使用されて、任意の適した深刻度の尺度（たとえば、示された方向における１つまたは複数の測定値が不規則状態を有した時間量、１つまたは複数の測定値のそれぞれが、それぞれの閾値を超えてどれほど遠くまで達したか、および／または、深刻度の同様の指標）を伝達することができることを認識できる。
【００３６】
図９は、ボーダ強調１７６を用いる方向インジケータ１７４を有するダイレクトビュースクリーン１２４Ｃの別の実施形態のスクリーン表示を示す。すなわち、示す実施形態の場合、ダイレクトビュースクリーン１２４Ｃは、単一方向インジケータ１７４を含み、単一方向インジケータ１７４は、特定のダイレクトビュースクリーン（たとえば、ＧＵＩ９８によって目下提示されているダイレクトビュースクリーン１２４Ｃの上である数のスクリーンだけ上に配設された）に関連付けられた少なくとも１つの測定値が不規則状態に陥っていることを示す。示す方向インジケータ１７４の場合、いくつかのボーダ１７６が、不規則状態の深刻度を示すために方向インジケータ１７４に付加された。
【００３７】
たとえば、ある実施形態では、方向インジケータ１７４は、ダイレクトビュースクリーン１２４Ｃの上に配設されるダイレクトビュースクリーンに関連付けられた１つの測定値だけが不規則状態を有する場合、ボーダ１７６を全く含まない場合がある。こうした実施形態の場合、さらなるボーダ１７６が、方向インジケータ１７４に付加されて、複数の測定値が不規則状態を有すること、および、これらの測定値が、示される方向に配設されるそれぞれのダイレクトビュースクリーンに関連付けられたことを示すことができる。上記が例に過ぎないこと、および、開示されるボーダ強調１７６が使用されて、任意の適した深刻度の尺度（たとえば、示された方向における１つまたは複数の測定値が不規則状態を有した時間量、１つまたは複数の測定値のそれぞれが、それぞれの閾値を超えてどれほど遠くまで達したか、および／または、深刻度の同様の指標）を伝達することができることを認識できる。さらに、ある実施形態では、ボーダ強調１７６は、付加的にまたは代替的に、漸進的に増加する厚さ、漸進的に変化するカラーなどを有するボーダを含んで、１つまたは複数の測定値の不規則状態の漸進的に増加する深刻度を示すことができる。
【００３８】
図１０は、記号強調１８２を用いる方向インジケータ１８０を有するダイレクトビュースクリーン１２４Ｄの別の実施形態のスクリーン表示を示す。すなわち、ダイレクトビュースクリーン１２４Ｄは、１つまたは複数の記号１８２を含み、１つまたは複数の記号１８２が使用されて、示される方向に配設されるダイレクトビュースクリーンに関連付けれらた少なくとも１つの測定値が陥っている不規則状態の深刻度の尺度をオペレータに伝達することができる。たとえば、ある実施形態では、１つまたは複数の記号１８２は、高い深刻度を示すために感嘆符を、中程度の深刻度を示すためにアスタリスクを、低い深刻度を示すためにマイナス符号を使用することなどによって相対的深刻度を伝達することができる記号を含むことができる。ある実施形態では、１つまたは複数の記号１８２は、列挙される範囲からの値（１〜１００のスケール上の数値またはＡからＺの範囲内の英字）を含んで、１つまたは複数の測定値が受けている不規則状態の深刻度を示すことができる。他の実施形態では、１つまたは複数の記号１８２は、方向インジケータ１８０が示す方向において不規則状態に陥る測定値の数を示すことができる数値であるとすることができる。さらに他の実施形態では、１つまたは複数の記号１８２は、不規則状態に陥る測定値に達するためにオペレータが提供することができる、対応するユーザ入力における数（たとえば、上矢印ボタン９５を使用するオペレータボタン押下の数）を示す数値であるとすることができる。
【００３９】
図１１は、拡大方向インジケータ１８４を有するダイレクトビュースクリーン１２４Ｅの別の実施形態のスクリーン表示を示す。すなわち、ある実施形態では、方向インジケータ１８４は、サイズを使用して、不規則状態に陥る１つまたは複数の測定値の深刻度を示すことができる。たとえば、方向インジケータ１８４は、最初に、より小さな方向インジケータとして提示されることができるが、深刻度が増加するにつれて拡大されることができる。特定の例によって、方向インジケータ１８４は、最初に、小さな方向インジケータ（たとえば、図７の方向インジケータ１６０のように）として提示されることができるが、その後、不規則状態に陥る測定値の数が増加し続けるにつれて、図１１に示すように拡大されることができる。上記が例に過ぎないこと、および、開示される方向インジケータ１８４のサイズが使用されて、深刻度の任意の適した尺度（たとえば、示された方向における１つまたは複数の測定値が不規則状態を有した時間量、１つまたは複数の測定値のそれぞれが、それぞれの閾値を超えてどれほど遠くまで達したか、および／または、深刻度の同様の指標）を伝達することができることを認識できる。
【００４０】
図１２は、示す方向において不規則状態に陥る測定値の数を示す複数の方向インジケータ１８６を有するダイレクトビュースクリーン１２４Ｆの別の実施形態のスクリーン表示を示す。たとえば、図１２に示すように、ダイレクトビュースクリーン１２４Ｆは３つの方向インジケータ１８６を含み、３つの方向インジケータ１８６は、示される方向におけるダイレクトビュースクリーンに関連付けられた３つの測定値が不規則状態に陥っていることを示す。さらに、方向インジケータ１８６のそれぞれが、特定の方法で（たとえば、特定のカラー、アニメ化強調、ボーダ強調、記号強調、サイズ強調、または先に論じた他の適した方法を使用して）さらに示されて、不規則状態に陥る各測定値の深刻度に関するさらなる情報を伝達することができることを認識できる。たとえば、図１２に示すように、方向インジケータ１８６のそれぞれは、不規則状態のそれぞれの相対的深刻度を示すため異なる背景カラーを有することができる。
【００４１】
図１３は、不規則状態に陥る１つのチャネルについてのダイレクトビュースクリーンの１つの実施形態のスクリーン表示を示す。すなわち、一例では、ＧＵＩ９８は、図７に示すダイレクトビュースクリーン１２４Ａを最初に提示することができ、ダイレクトビュースクリーン１２４Ａは、不規則状態を有する測定値に関連付けられたダイレクトビュースクリーンを観察するためにオペレータが、（たとえば、図３の下矢印ボタン９６を使用して）対応するユーザ入力を提供すべきであることを示す方向インジケータ１６２を含む。したがって、オペレータが適切な入力を提供してしまうと、ＧＵＩ９８は、不規則状態を有する測定値に対応する図１３に示すダイレクトビュースクリーン１９０を提示することができる。示す例の場合、ダイレクトビュースクリーン１９０は、棒グラフ１３５および１３６（棒グラフ１３６に関連付けられた測定値が不規則状態をトリガーする）を使用してスラスト測定値（スラスト測定タイプ１１４の測定値）を示し、アラームインジケータ１９２をさらに含む。しかし、この例の場合、他の測定値がどれも不規則状態を目下持たないため、方向インジケータが、図１３に示すダイレクトビュースクリーン１９０上に提示されない場合があることを認識できる。
【００４２】
図１４は、問題のある測定値（たとえば、棒グラフ１３６で示される）が正常または健全状態に戻り、アラームがクリアされた後の、図１３のダイレクトビュースクリーンの実施形態のスクリーン表示である。すなわち、図１４に示すダイレクトビュースクリーン１９０は、図１３に示すアラームインジケータ１９２をもはや提示しない。たとえば、図１４に示すダイレクトビュースクリーン１９０は、ラッチ済みアラーム状態がオペレータによってクリアされると提示されることができ、したがって、アラームインジケータ１９２は、ダイレクトビュースクリーン１９０上に提示されない場合がある。さらに、この例の場合、他の測定値がどれも、不規則状態を目下持たないため、やはり、方向インジケータが、図１４に示すダイレクトビュースクリーン１９０上に提示されない場合があることを認識できる。
【００４３】
しかし、別の測定値が、その後、不規則状態に達する場合、１つまたは複数の方向インジケータがもう一度提示されることができる。たとえば、図１５は、不規則状態を有する別の測定値が、示される方向にダイレクトビュースクリーン１２２上で提示されることを示す方向インジケータを有するダイレクトビュースクリーン１９０のスクリーン表示である。すなわち、上述した例の場合、図１４に示すダイレクトビュースクリーン１９０は、他の測定値がどれも不規則状態に陥っていない場合があるため、方向インジケータを含まない場合がある。しかし、図１５に示すように、１つまたは複数の測定値（たとえば、目下提示されているダイレクトビュースクリーン１９０の下で、ある数のスクリーンだけ下に配設されたダイレクトビュースクリーンに関連付けられた測定値）が不規則状態に陥る場合、適切な方向インジケータ１９４が、ダイレクトビュースクリーン１９０上に提示されることができる。さらに、方向インジケータ１９４が、上述した視覚効果（たとえば、特定のカラー、アニメ化強調、ボーダ強調、記号強調、サイズ強調、または他の適した視覚効果）の任意の１つまたは複数を単独でまたは組合せて含んで、不規則状態に陥る１つまたは複数の測定値の深刻度を伝達することができることを認識できる。
【００４４】
本発明の技術的効果は、産業モニタリングシステムのディスプレイデバイス上に表示されるＧＵＩのスクリーンからオペレータがより多くの情報を収集することを可能にすることを含む。たとえば、本アプローチは、（観察されているダイレクトビュースクリーンと異なるダイレクトビュースクリーンに対応する）１つまたは複数の測定値が不規則状態に陥っていること、ならびに、１つまたは複数の測定値を観察するためにどの入力が提供されることができるかをオペレータが視覚的に確認することを可能にする。本アプローチは、視覚効果（たとえば、フィルカラーまたはボーダカラー、アニメーション強調、ボーダ強調、記号強調、サイズ強調など）の使用をさらに可能にして、測定データの通常の提示に全く干渉することなく、関心のダイレクトビュースクリーンの相対方向と不規則状態の深刻度の両方をオペレータに伝達する。したがって、本アプローチは、不規則状態に陥る測定値をオペレータが即座に知ることを可能にし、したがって、モニタリングされる機械システムに関する考えられる任意の問題にオペレータがより迅速に対処することを可能にする。
【００４５】
この書面による説明は、最良モードを含む本発明を開示するために、また同様に、任意のデバイスまたはシステムを作り使用すること、および、組込まれる任意の方法を実施することを含む、本発明を当業者が実施することを可能にするために例を使用する。本発明の特許可能な範囲は、特許請求の範囲によって規定され、当業者が思い付く他の例を含むことができる。こうした他の例は、特許請求の範囲の逐語的言語と異ならない構造的要素を有する場合、または、特許請求の範囲の逐語的言語と非実質的相違を有する等価な構造的要素を含む場合、特許請求の範囲内にあることを意図される。
【符号の説明】
【００４６】
１２  ガスタービンシステム
１４  アセット状態モニタ
２０  近接プローブ
２２  速度変換器
２４  加速度計
２６  地震センサ
２８  圧力センサ
３０  温度センサ
３２  回転速度センサ
３４  径方向振動
３６  径方向位置
３８  軸方向位置
４０  偏心度
４２  地震振動
４４  シャフト位置
４６  膨張差
４８  ロータ速度
５０  ロータ加速度
５２  温度
６０  モジュール式アセット状態モニタリングシステム
６１  電源
６２  システムモニタ／ＴＤＩ
６４  他のモニタリングシステム
６６  制御システム
６８  コンピュータワークステーション
７０  可搬型モニタリングデバイス
７２  可搬型コンピューティングデバイス
７４、７６、７８、８０  モニタモジュール
【図１】
2015053036.tif 000003
【図２】
2015053036.tif 000004
【図３】
2015053036.tif 000005
【図４】
2015053036.tif 000006
【図５】
2015053036.tif 000007
【図６】
2015053036.tif 000008
【図７】
2015053036.tif 000009
【図８】
2015053036.tif 000010
【図９】
2015053036.tif 000011
【図１０】
2015053036.tif 000012
【図１１】
2015053036.tif 000013
【図１２】
2015053036.tif 000014
【図１３】
2015053036.tif 000015
【図１４】
2015053036.tif 000016
【図１５】
2015053036.tif 000017
【外国語明細書】
2015053036000001.pdf